(57)【要約】【課題】複数の機能部を備え、電源監視装置と通信可能な情報処理装置において、情報処理装置の操作者により主電源スイッチが操作されるのか、電源監視装置から電源オン指示を受信したのかに応じて、適切な機能部へ電力を供給する。【解決手段】情報処理装置は、ネットワークを介して電源監視装置と通信可能であり、複数の機能部を有している。複数の機能部に電力が供給されない状態において、主電源スイッチが操作者により手動操作されると、複数の機能部の各々に電力が供給される。また、複数の機能部に電力が供給されない状態において、ネットワークを介して電源監視装置から電源オン指示を受信すると、複数の機能部のうち予め設定された機能部に電力が供給される。【選択図】図５
2012078955.tif 000002
【特許請求の範囲】
【請求項１】
ネットワークを介して電源監視装置と通信可能な情報処理装置であって、
前記情報処理装置が備える複数の機能部へ供給される電力を生成する電力生成手段と、
手動操作される主電源スイッチと、
前記ネットワークを介して前記電源監視装置から電源オン指示を受信する受信手段と、
前記複数の機能部へ前記電力生成手段により生成される電力が供給されない状態において、前記主電源スイッチが前記情報処理装置の操作者により手動操作されることに応じて、前記複数の機能部の各々へ前記電力生成手段が生成する電力を供給するよう制御する第１の電源制御手段と、
前記複数の機能部へ前記電力生成手段により生成される電力が供給されない状態において、前記受信手段が前記ネットワークを介して前記電源監視装置から前記電源オン指示を受信したことに応じて、前記複数の機能部のうち予め設定された機能部へ前記電力生成手段が生成する電力を供給するよう制御する第２の電源制御手段とを有することを特徴とする情報処理装置。
【請求項２】
前記複数の機能部のうち１つは前記受信手段を備え、前記主電源スイッチの操作に拘わらず電源供給が行われる第１の機能部であり、
前記第１の機能部には前記受信手段によって前記電源オン指示を受けると、前記第２の電源制御手段に電源供給を行う第３の電源制御手段が備えられていることを特徴とする請求項１に記載の情報処理装置。
【請求項３】
前記予め設定された機能部は他の機能部に比べて消費電力が少ない機能部であることを特徴とする請求項１又は２記載の情報処理装置。
【請求項４】
前記電源監視装置は、前記情報処理装置に電源供給を行う電源オン時間になると前記電源オン指示を発行し、前記電源供給をオフとする電源オフ時間となると電源オフ指示を発行しており、
前記受信手段で前記電源オフ指示を受信すると、前記第２の電源制御手段は前記情報処理装置の電源をオフとすることを特徴とする請求項１〜３いずれか１項記載の情報処理装置。
【請求項５】
前記電源監視装置に対して前記電源オン時間及び前記電源オフ時間の少なくとも一方を設定する第１の設定手段を有することを特徴とする請求項４記載の情報処理装置。
【請求項６】
前記電源オン指示を受けた際に前記複数の機能部のうち有効とする機能部を有効機能部として設定する第２の設定手段を有し、
前記第２の電源制御手段は、前記第２の設定手段で設定された有効機能部に応じて電源供給を行う前記予め設定された機能部を決定するようにしたことを特徴とする請求項１〜５いずれか１項記載の情報処理装置。
【請求項７】
互いに独立して電源が供給される複数の機能部と、手動操作される主電源スイッチとを有し、ネットワークを介して電源監視装置と通信可能な情報処理装置のリモート電源制御を行うための電源制御方法であって、
前記情報処理装置が備える複数の機能部へ供給される電力を生成する電力生成ステップと、
前記ネットワークを介して前記電源監視装置から電源オン指示を受信する受信ステップと、
前記複数の機能部へ前記電力生成ステップにより生成される電力が供給されない状態において、前記主電源スイッチが前記情報処理装置の操作者により手動操作されることに応じて、前記複数の機能部の各々へ前記電力生成ステップで生成された電力を供給するよう制御する第１の電源制御ステップと、
前記複数の機能部へ前記電力生成ステップにより生成される電力が供給されない状態において、前記受信ステップで前記ネットワークを介して前記電源監視装置から前記電源オン指示を受信したことに応じて、前記複数の機能部のうち予め設定された機能部へ前記電力生成ステップで生成された電力を供給するよう制御する第２の電源制御ステップとを有することを特徴とする電源制御方法。
【請求項８】
互いに独立して電源が供給される複数の機能部と、手動操作される主電源スイッチとを有し、ネットワークを介して電源監視装置と通信可能な情報処理装置のリモート電源制御を行うための電源制御プログラムであって、
前記情報処理装置に、
前記情報処理装置が備える複数の機能部へ供給される電力を生成する電力生成ステップと、
前記ネットワークを介して前記電源監視装置から電源オン指示を受信する受信ステップと、
前記複数の機能部へ前記電力生成ステップにより生成される電力が供給されない状態において、前記主電源スイッチが前記情報処理装置の操作者により手動操作されることに応じて、前記複数の機能部の各々へ前記電力生成ステップで生成された電力を供給するよう制御する第１の電源制御ステップと、
前記複数の機能部へ前記電力生成ステップにより生成される電力が供給されない状態において、前記受信ステップで前記ネットワークを介して前記電源監視装置から前記電源オン指示を受信したことに応じて、前記複数の機能部のうち予め設定された機能部へ前記電力生成ステップで生成された電力を供給するよう制御する第２の電源制御ステップとを実行させることを特徴とする電源制御プログラム。
【発明の詳細な説明】
【技術分野】
【０００１】
本発明は、情報処理装置、その電源制御方法、及び電源制御プログラムに関し、特に、情報処理装置のリモート電源制御に関する。
【背景技術】
【０００２】
一般に、情報処理装置の電力制御を行う場合に、遠隔的に電力制御（リモート電力制御）を行うことがある。例えば、ネットワークに接続された複数の情報処理装置をホストコンピュータ等の電力監視装置の指令に基づいて電力制御（電源オフ及び電源オン）することがある。
【０００３】
ここでは、情報処理装置の１つである画像形成装置について、リモート電力制御を行う場合について説明する。画像形成装置は一般にその電力消費量が大きく、複数の画像形成装置がネットワークに接続されたシステムにおいては、複数の画像形成装置が同時に電源オンされると、起動時における突入電流によって大電流が流れてしまうことがある。
【０００４】
このような不都合に対処するため、複数の画像形成装置が同時に電源オンされないように、優先順位を割り当てて１台ずつ順番に電源オンするようにしたものがある。例えば、優先順位が第１位である画像形成装置に対して、電源監視装置が電源オンの指令を送信する。そして、優先順位が第１位である画像形成装置が電源オンした後に、電源オンした画像形成装置が次の優先順位の画像形成装置に対して電源オンの指令を送信する（例えば、特許文献１参照）。
【先行技術文献】
【特許文献】
【０００５】
【特許文献１】特開２０００−２３８３７３号公報
【発明の概要】
【発明が解決しようとする課題】
【０００６】
ところが、特許文献１に記載の手法においては、ネットワークに接続された画像形成装置の台数が多くなるに従って、優先順位が最下位の画像形成装置が電源オンするまでの時間が増加することになる。さらに、故障等によって電源オンがされない画像形成装置が存在すると、優先順位が下位の画像形成装置については電源オンがされないという問題点がある。
【０００７】
以上の問題点を鑑みた本発明は、複数の機能部を備え、電源監視装置と通信可能な情報処理装置において、情報処理装置の操作者により主電源スイッチが操作されるのか、電源監視装置から電源オン指示を受信したのかに応じて、適切な機能部へ電力を供給することができる情報処理装置を提供することにある。
【課題を解決するための手段】
【０００８】
上記の目的を達成するため、本発明による情報処理装置は、ネットワークを介して電源監視装置と通信可能な情報処理装置であって、前記情報処理装置が備える複数の機能部へ供給される電力を生成する電力生成手段と、手動操作される主電源スイッチと、前記ネットワークを介して前記電源監視装置から電源オン指示を受信する受信手段と、前記複数の機能部へ前記電力生成手段により生成される電力が供給されない状態において、前記主電源スイッチが前記情報処理装置の操作者により手動操作されることに応じて、前記複数の機能部の各々へ前記電力生成手段が生成する電力を供給するよう制御する第１の電源制御手段と、前記複数の機能部へ前記電力生成手段により生成される電力が供給されない状態において、前記受信手段が前記ネットワークを介して前記電源監視装置から前記電源オン指示を受信したことに応じて、前記複数の機能部のうち予め設定された機能部へ前記電力生成手段が生成する電力を供給するよう制御する第２の電源制御手段とを有することを特徴とする。
【発明の効果】
【０００９】
本発明によれば、電源監視装置と通信可能な情報処理装置であって複数の機能部を備える情報処理装置において、情報処理装置の操作者により主電源スイッチが操作されるのか、電源監視装置から電源オン指示を受信したのかに応じて、適切な機能部へ電力を供給することができる情報処理装置を提供することができる。
【図面の簡単な説明】
【００１０】
【図１】本発明の実施の形態による情報処理装置の１つである画像形成装置を用いた印刷システムの一例を示す図である。
【図２】図１に示すホストコンピュータにおいてリモートコマンドの発行処理を説明するためのフローチャートである。
【図３】図１に示す画像形成装置の各々についてその電源供給系統を説明するためのブロック図である。
【図４】図３に示すリレー付きメインＳＷについてその内部構成の一例を示す図である。
【図５】図３に示す主電源部に電力供給が行われた際の入出力コントローラにおける処理を説明するためのフローチャートである。
【図６】図３に示す画像形成装置において、電源供給を行う電源部を追加変更する際に表示されるリモート電源コントロール設定画面（ローカル画面）の一例を示す図である。
【図７】図６に示すオン直後有効機能設定において選択された機能に応じた電源制御設定を示す図である。
【発明を実施するための形態】
【００１１】
以下、本発明の実施の形態による情報処理装置の一例について図面を参照して説明する。なお、以下の説明では、情報処理装置として画像形成装置を例に挙げて説明するが、画像形成装置以外の情報処理装置においても同様にして電力制御を行うことができる。そして、情報処理装置の１つである画像形成装置がネットワークを介して接続したシステムを印刷システムと呼ぶ。
【００１２】
図１は、本発明の実施の形態による情報処理装置の１つである画像形成装置（例えば、複合機）を用いた印刷システムの一例を示す図である。
【００１３】
図１を参照すると、印刷システムは複数の複合機１１００、１２００、１３００、及び１４００を有している。そして、これら複合機１１００、１２００、１３００、及び１４００はネットワーク１７００に接続されている。さらに、ネットワーク１７００にはホストコンピュータ１６００（電源監視装置）が接続されている。これによって、複合機１１００、１２００、１３００、及び１４００の各々はネットワーク１７００を介してホストコンピュータ１６００と通信可能である。
【００１４】
また、図示の例では、ネットワーク１７００には、パーソナルコンピュータ（ＰＣ）１５００が接続されている。図示のネットワークシステムにおいて、ホストコンピュータ１６００によって複合機１１００、１２００、１３００、及び１４００の電源監視が行われる。そして、複数の複合機１１００、１２００、１３００、及び１４００はホストコンピュータ１６００から送られるリモートコマンドに応じて主電源のオフ及びオンを行う。
【００１５】
複合機１１００、１２００、１３００、及び１４００の各々は、ホストコンピュータ１６００から電源オフのリモートコマンド（オフコマンド：電源オフ指示）を受信すると、例えば、処理中の動作を終了する。そして、複合機１１００、１２００、１３００、及び１４００の各々は、処理中のデータをバックアップメモリ（図示せず）に退避させる。
【００１６】
このようにして、データ退避処理を行って電源オフしてもよい状態となると、複合機１１００、１２００、１３００、及び１４００の各々は主電源供給をオフする。主電源供給をオフした後、複合機１１００、１２００、１３００、及び１４００の各々は、ＰＣ１５００からアクセス要求のネットワークコマンドを受け付けず、ホストコンピュータ１６００から発行される電源オンを示すリモートコマンド（オンコマンド：電源供給指示）にのみ反応する。
【００１７】
上記のように、リモートコマンドには、電源オフと電源オンを示す少なくとも２つの種類（オフコマンド及びオンコマンド）がある。そして、これにリモートコマンドは、ホストコンピュータ１６００からネットワーク１７００上の全ての複合機１１００、１２００、１３００、及び１４００に対して一斉に発行される。
【００１８】
図２は、図１に示すホストコンピュータ１６００においてリモートコマンドの発行処理を説明するためのフローチャートである。
【００１９】
図１及び図２を参照して、ホストコンピュータ１６００には、予め電源オフ時間（時刻）Ｔｏｆｆ及び電源オン時間（時刻）Ｔｏｎが設定されている。ホストコンピュータ１６００は、リアルタイムクロック（ＲＴＣ：図示せず）によって時刻をカウント（計時）している。そして、ＲＴＣのカウント値（つまり、時刻）が、電源オフ時間Ｔｏｆｆ又は電源オン時間（電源供給時間）Ｔｏｎとなると、ホストコンピュータ１７００ではＲＴＣタイマー（図示せず）が割り込みを発生する。
【００２０】
まず、ホストコンピュータ１６００は、電源オフ時間Ｔｏｆｆ（例えば、２１：３０）を第１のＲＴＣタイマーにセットするとともに（ステップＳ２００１）、電源オン時間Ｔｏｎ（例えば、８：００）を第２のＲＴＣタイマーにセットする（ステップＳ２００２）。
【００２１】
ホストコンピュータ１６００において、ＲＣＴが時刻をカウントアップ（Ｓ２００３）する（ステップＳ２００３）。ホストコンピュータ１６００は、第１のＲＴＣタイマーが割り込み信号を発生したか否かを監視している（ステップＳ２０１０）。いま、ＲＣＴでカウントされた時刻が電源オフ時間Ｔｏｆｆになると、第１のＲＴＣタイマーから割り込み信号（第１の割り込み信号）が出力されることになる。
【００２２】
第１のＲＣＴタイマーから第１の割り込み信号が発生すると（ステップＳ２０１０において、ＹＥＳ）、ホストコンピュータ１６００はオフコマンドを全ての複合機１１００、１２００、１３００、及び１４００に対して一斉に発行する（ステップＳ２０１１）。そして、ホストコンピュータ１６００はステップＳ２００３に戻って処理を続行する。
【００２３】
一方、第１のＲＣＴタイマーが第１の割り込み信号が発生しないと（ステップＳ２０１０において、ＮＯ）、ホストコンピュータ１６００は、第２のＲＴＣタイマーが割り込み信号（第２の割り込み信号）を発生したか否かを判別する（ステップＳ２０２０）。
【００２４】
いま、ＲＴＣでカウントされた時刻が電源オン時間Ｔｏｎとなると、第２のＲＴＣタイマーは第２の割り込み信号を出力することになる。第２のＲＣＴタイマーから第２の割り込み信号が発生すると（ステップＳ２０２０において、ＹＥＳ）、ホストコンピュータ１６００はオンコマンドを全ての複合機１１００、１２００、１３００、及び１４００に対して一斉に発行する（ステップＳ２０２１）。そして、ホストコンピュータ１６００はステップＳ２００３に戻って処理を続行する。
【００２５】
一方、第２のＲＣＴタイマーが第２の割り込み信号が発生しないと（ステップＳ２０２０において、ＮＯ）、ホストコンピュータ１６００はステップＳ２００３に戻って処理を続行する。ネットワーク１７００上の複合機１１００、１２００、１３００、及び１４００の各々は、リモートコマンド（オフコマンド又はオンコマンド）を受信すると、電源オフ又は電源オンの処理を行う。
【００２６】
図３は、図１に示す複合機１１００、１２００、１３００、及び１４００の各々についてその電源供給系統を説明するためのブロック図である。
【００２７】
図３を参照して、複合機１１００、１２００、１３００、及び１４００の電源供給系統は同一であるので、ここでは、複合機１１００に注目して説明する。
【００２８】
複合機１１００は、常備電源部３３００（第１の機能部）、主電源部３４００、ＨＤＤ電源部３５００、ＣＰＵ電源部３６００、画像処理電源部３７００、読み取り部電源部３８００、及び出力部電源部３９００（これらは機能部である）を備えている。そして、常備電源部３３００には、ＮＩＣ（ネットワークインタフェースカード）部３３０１及びＲＴＣ３３０２が備えられている。
【００２９】
上記の常備電源部３３００、主電源部３４００、ＨＤＤ電源部３５００、ＣＰＵ電源部３６００、画像処理電源部３７００、読み取り部電源部３８００、及び出力部電源部３９００には、互いに独立して電源が供給される。
【００３０】
主電源部３４００には、入出力コントローラ（ＩＯ  Ｃｏｎｔ）３４０１、メモリ（Ｍｅｍ）３４０２、スリープ復帰ボタン３４０３、及びＦＡＸ送受信部３４１０が備えられている。なお、ＦＡＸ送受信部３４１０は回線制御部３４１１を有している。
【００３１】
ＨＤＤ電源部３５００にはＨＤＤ３５０１が備えられ、ＣＰＵ電源部３６００には、ＣＰＵ３６０１、データ処理部３６０２、及びメモリ（Ｍｅｍ）３６０３が備えられている。そして、画像処理電源部３７００は画像処理部（Ｓｃａｎ）３７０１及び画像処理部（Ｐｒｉｎｔ）３７０２を有している。
【００３２】
読み取り部電源部３８００には、ＣＰＵ３８０１、駆動部３８０２、ＣＣＤ３８０３、及びＡ／Ｄ変換部３８０４が備えられ、出力電源部３９００には、ＣＰＵ３９０１、定着器３９０２、駆動部３９０３、Ｄ／Ａ変換部３９０４、及び露光部３９０５が備えられている。
【００３３】
複合機１１００には、電源コンセント３１００からＡＣ電源が供給される。そして、ＡＣ／ＤＣ変換部３２０１及びＡＣ／ＤＣ変換部３２０２によってＡＣ電源は直流電源に変換される。電源コンセント３１００が複合機１１００に接続された状態では、常備電源部３３００にのみＡＣ／ＤＣ変換部３２０１から直流電源が供給され、これによって、ＮＩＣ部３３０１の一部に直流電源が供給されることになる。
【００３４】
ＮＩＣ部３３０１は少なくとも２系統の電源を有し、一方の系統にのみ電源が供給されると、ＮＩＣ部３３０１はネットワーク１７００上の特定リモートコマンドのみに反応する。特定リモートコマンドには、前述のオンコマンドがあり、このオンコマンドを受けると、ＮＩＣ部３３０１は割り込み信号（オン割り込み信号とも呼ぶ）をリレー付きメインスイッチ（ＳＷ）３３０２に送出する。
【００３５】
オン割り込み信号を受けると、リレー付きメインＳＷ３３０２（主電源スイッチ）はその内部リレーをオン（ＯＮ）する。これによって、ＡＣ／ＤＣ変換部３２０２に対して電源コンセント３１００からＡＣ電源の供給が行われて、ＡＣ／ＤＣ変換部３２０２から主電源部３４００に直流電源の供給が行われる。
【００３６】
図示のように、ＨＤＤ電源部３５００、ＣＰＵ電源部３６００、画像処理電源部３７００、読み取り部電源部３８００、及び出力部電源部３９００はそれぞれスイッチ（ＳＷ）３２０２ａ〜３２０２ｅを介してＡＣ／ＤＣ変換部３２０２に接続されている。そして、後述するように、ＩＯ  Ｃｏｎｔ３４０１がＳＷ３２０２ａ〜３２０２ｅをオンオフ制御して、ＨＤＤ電源部３５００、ＣＰＵ電源部３６００、画像処理電源部３７００、読み取り部電源部３８００、及び出力部電源部３９００への電源供給を行う。
【００３７】
図４は、図３に示すリレー付きメインＳＷ３３０２についてその内部構成の一例を示す図である。
【００３８】
図４において、リレー付きメインＳＷ３３０２は内部リレー４００１を有しており、オン割り込み信号を受けると、内部リレー４００１がオンとなる。この際、メインＳＷレバー４００４はオフ（ＯＦＦ）側に倒れているが、内部リレー４００１がオンすると、メインＳＷレバー４００４がオン側に倒れて、主電源部３４００に直流電源が供給される。主電源部３４００に直流電源が供給されると、図３に示す入出力コントローラ（ＩＯ  Ｃｏｎｔ）３４０１は次の処理を実行する。
【００３９】
図５は、図３に示す主電源部３４００に電力供給が行われた際の入出力コントローラ３４０１における処理を説明するためのフローチャートである。
【００４０】
図３〜図５を参照して、リレー付きメインＳＷ３３０２には位置センサ４００２が備えられており、この位置センサ４００によってメインＳＷレバー４００４の位置が検出される。位置センサ４００は、ＩＯ  Ｃｏｎｔ３４０１にレバー位置センサ信号を送り、ＩＯ  Ｃｏｎｔ３４０１は、レバー位置センサ信号応じてメインＳＷレバー４００４がオン／オフのいずれの側に倒れているかを確認する（ステップＳ５１００）。
【００４１】
メインＳＷレバー４００４がオフ側に倒れていると（ステップＳ５１００において、ＯＦＦ）、ＩＯ  Ｃｏｎｔ３４０１はＳＷを制御してＨＤＤ電源部３５００にＡＣ／ＤＣ変換部３２０２から直流電源を供給する（ステップＳ５１０１）。さらに、ＩＯ  Ｃｏｎｔ３４０１はＳＷを制御してＣＰＵ電源部３６００にＡＣ／ＤＣ変換部３２０２から直流電源を供給する（ステップＳ５１０２）。
【００４２】
その後、ＩＯ  Ｃｏｎｔ３４０１はリレー付きメインＳＷ３３０２にレバー転倒信号を送出する。このレバー転倒信号はリレー付きメインＳＷ３３０２に備えられたソレノイド４００３に与えられ、これによって、ソレノイド４００３がメインＳＷレバー４００４をオン側に転倒させる（ステップＳ５１０３）。この結果、複合機１１００内部の電源がオンである状態とリレー付きメインＳＷ３３０２がＯＮである状態との整合が取られることになる。
【００４３】
これ以降、ＮＩＣ部３３０１には電源が２系統ともに供給され、ＮＩＣ部３３０１は、例えば、代理応答パケット及び通常のネットワークパケットに対する処理を行うことができるようになる。そして、複合機１１００は、所謂スリープモードと呼ばれる状態と同様の状態となって（省電力モード：ステップＳ５１０４）、ＩＯ  ＣＯＮｔ３４０１における処理が終了する。
【００４４】
このように、ホストコンピュータ１６００からオンコマンドを受けると、複合機１１００においては、主電源部３４００、ＨＤＤ電源部３５００、及びＣＰＵ電源部３６００の電源オン処理が行われる。そして、図３に示す画像処理電源部３７００、読み取り部電源部３８００、及び出力部電源部３９００に対する直流電源の供給は行わない。
【００４５】
このため、特に、電力消費の大きな定着器３９０２及び露光部３９０５に電力供給されないので、起動時における電力消費を抑えることができる。この状態では、複合機１１００は、スリープモードとなっている。スリープモードにおいては、例えば、ＮＩＣ部３３０１はネットワークから印刷指令コマンドを受信可能となり、ＩＯ  Ｃｏｎｔ３４０１はスリープ復帰ボタン３４０３による割り込みを受信することができる。
【００４６】
ネットワークから印刷指令コマンドを受信すると、ＮＩＣ部３３０１はＩＯ  Ｃｏｎｔ３４０１に印刷指令コマンドを転送する。さらに、ＩＯ  Ｃｏｎｔ３４０１はＳＷを制御して、印刷処理に必要となる画像処理電源３７００及び出力部電源３９００に電源を供給する。これによって、印刷処理動作が可能となる。
【００４７】
一方、ユーザ（操作者ともいう）によってスリープ復帰ボタン３４０３が押下されると、ＩＯ  Ｃｏｎｔ３４０１はスリープ復帰ボタン３４０３からのボタン割り込み信号を検知する。そして、ＩＯ  Ｃｏｎｔ３４０１はＳＷを制御して、画像処理電源部３７００、読み取り部電源３８００、及び出力部電源３９００に電源を供給し、複合機１１００をスリープ状態からスタンバイ状態に移行させる。
【００４８】
複合機１１００は、オンリモートコマンドによる電源オンの他に、主電源のオン、つまり、ユーザがリレー付きメインＳＷ３３０２のメインＳＷレバー４００４をオン側に転倒させて（手動操作して）、電源をオンすることもできる。そして、ユーザによってメインＳＷレバー４００４がオン側に転倒させると、主電源部３４００に電源が供給されて、ＩＯ  Ｃｏｎｔ３４０１に電力供給が行われる。
【００４９】
前述したように、図５に示すステップＳ５１００において、ＩＯ  Ｃｏｎｔ３４０１は位置センサ４００２によってメインＳＷレバー４００４がオン側に転倒しているかを確認する。メインＳＷレバー４００４がオン側に転倒していると（ステップＳ５１００において、ＯＮ）、ＩＯ  Ｃｏｎｔ３４０１はまずＳＷを制御してＨＤＤ電源部３５００に電源を供給する（ステップＳ５２０１）。続いて、ＩＯ  Ｃｏｎｔ３４０１はＣＰＵ電源部３６００に電源を供給し（ステップＳ５２０２）、さらに画像処理電源部３７００に電源を供給する（ステップＳ５２０３）。そして、ＩＯ  Ｃｏｎｔ３４０１は読み取り部電源部３８００に電源を供給し（ステップＳ５２０４）、さらに出力部電源部３９００に電源を供給して、電源供給処理を終了する。
【００５０】
このように、リレー付きメインＳＷ３３０２が手動操作でオンされると、ＩＯ  Ｃｏｎｔ３４０１は予め設定された起動手順（起動モード）で複合機１１００を起動することになる。つまり、メインＳＷレバー４００４がユーザによってオン側に転倒されると、複合機１１００は主電源オンと同様の起動モードで起動を行って、スタンバイ状態に移行する。
【００５１】
なお、前述の常備電源部３３００に対する電力の供給は、必ずしもＡＣ／ＤＣ変換部３２０１から行う必要はなく、電池から常備電源部３３００に電源供給を行うようにしてもよい。このように電池を用いれば、主電源部３４００がオンされていない状態では、ＡＣ電源の消費電力値をゼロにすることができる。
【００５２】
ところで、前述のように、複合機１１００においてオンコマンドを受けると、ＩＯ  Ｃｏｎｔ３４０１はＨＤＤ電源部３５００及びＣＰＵ電源部３６００に電源を供給するようにしたが、次のように電源の供給を行う電源部を追加変更するようにしてもよい。
【００５３】
図６は図３に示す複合機１１００において電源供給を行う電源部を追加変更する際に表示されるリモート電源コントロール設定画面（ローカル画面）の一例を示す図である。
【００５４】
いま、ユーザが電源供給を行う電源部の追加変更を操作部（図示せず）から行うと、図３に示すＣＰＵ３６０１は、図６に示すリモート電源コントロール設定画面（以下、ローカル画面とも呼ぶ）６０００を表示部（図示せず）に表示する。図６において、ローカル画面６０００には、「自動電源オン設定」、「オン直後有効機能設定」、及び「自動電源オフ設定」がある。そして、オン直後有効機能設定には、デフォルト及び個別があり、さらに、個別にはスキャナ、プリント、及びＦＡＸがある。
【００５５】
図６に示す例では、ローカル画面６０００において、自動電源オン設定が「する」に設定され、オン直後有効機能設定が「個別」に設定されている。そして、「原稿ＰＤＦ化」が個別設定されている。さらに、ここでは、自動電源オフ設定が「する」に設定されている。
【００５６】
ところで、ローカル画面６０００において、自動電源オン設定が「しない」に設定されると、ＣＰＵ３６０１はＩＯ  Ｃｏｎｔ３４０１を介してＮＩＣ部３３０１の内部レジスタの値を変更する。これによって、ＮＩＣ部３３０１はオンコマンドを受信しても割り込み信号を出力しないことになる。
【００５７】
オンコマンドを受信しても、ＮＩＣ部３３０１が割り込み信号を発生しないため、主電源部３４００に対する電源供給は行われず、この結果、複合機１１００は電源オフの状態を持続することになる。
【００５８】
一方、自動電源オン設定が「する」に設定されると、ＣＰＵ３６０１はオン時間の確認とオン直後有効機能設定の選択とを有効とする。オン時間確認ボタン６００１が押されると、ＣＰＵ３６０１は、ホストコンピュータ１６００（ここでは、電源管理サーバともいう）に設定された電源オン時間（電源供給時間）についてホストコンピュータ１６００に問い合わせを行う。そして、ＣＰＵ３６０１は問い合わせによって得られた電源オン時間をローカル画面６０００に表示する。
【００５９】
図７は、図６に示すオン直後有効機能設定において選択された機能に応じた電源制御設定を示す図である。
【００６０】
図７に示すように、図６に示すオン直後有効機能設定において選択された機能（有効機能又は有効機能部と呼ぶ）に応じて、ＣＰＵ３６０１は電源制御設定値を変更して、ＩＯ  Ｃｏｎｔ３４０１のレジスタ（電源制御出力ポートレジスタ：図示せず）に当該電源制御設定値を設定する。
【００６１】
図７においては、機能として、「デフォルト」、「リモートスキャナ」、「原稿ＰＤＦ化」、「ネットワークプリンタ」、「ＢＯＸデータプリンタ」及び「ＦＡＸ受信同時プリント」がある。そして、これら機能に対応して、「主電源部」、「ＨＤＤ電源部」「ＣＰＵ電源部」「画像処理電源部」、「読み取り部電源部」、及び「出力部電源部」のオン／オフ（つまり、電力制御設定値）が規定されている。
【００６２】
なお、ここでは、”１”がオンを表し、”０”がオフを表す。通常の設定は、「デフォルト」であり、この際には、電力オン指令を受けると、主電源部３４００、ＨＤＤ電源部３５００、及びＣＰＵ電源部３６００に電源供給が行われる。
【００６３】
オン直後有効機能設定において、「デフォルト」が設定されると、ＣＰＵ３６０１はＩＯ  Ｃｏｎｔ３４０１の電源制御出力ポートレジスタに“１１１０００”をセットする。これによって、ＩＯ  Ｃｏｎｔ３４０１は、前述のように、ＮＩＣ部３３０１がオンコマンドを受けると、ＨＤＤ電源部３５００及びＣＰＵ電源部３６００をオンする。
【００６４】
一方、図６に示すように、「個別」において「原稿ＰＤＦ化」が選択されると、ＣＰＵ３６０１は、図７に示すように、電源制御出力ポートレジスタに“１１１１１０”をセットする（つまり、電源制御設定値を決定する）。これによって、ＩＯ  Ｃｏｎｔ３４０１は、ＮＩＣ部３３０１がオンコマンドを受けると、ＨＤＤ電源部３５００、ＣＰＵ電源部３６００、画像処理電源部３７００、及び読み取り部電源部３８００に電源供給を行う。
【００６５】
なお、「個別」において複数の機能が選択されると、ＣＰＵ３６０１は、図７に示す機能の論理和を電源制御出力ポートレジスタにセットする。
【００６６】
例えば、「個別」において、「原稿ＰＤＦ化」と「ネットワークプリンタ」とが選択されると、ＣＰＵ３６０１は、原稿ＰＤＦ化の電力制御設定値である”１１１１１０”とネットワークプリンタの電力制御設定値である”１１１１０１”との論理和である”１１１１１”を電源制御出力ポートレジスタにセットする。この結果、ＩＯ  Ｃｏｎｔ３４０１は、ＮＩＣ部３３０１がオンコマンドを受けると、ＨＤＤ電源部３５００、ＣＰＵ電源部３６００、画像処理電源部３７００、読み取り部電源部３８００、及び出力電源部３９００に電源供給を行うことになる。
【００６７】
図６に示すローカル画面６０００において、自動電源オフ設定が「しない」に設定されると、ＣＰＵ３６０１は、ＩＯ  ＣＯＮＴ３４０１を介してＮＩＣ部３３０１の内部レジスタの値を変更する。これによって、ＮＩＣ部３３０１はオフコマンドを受信しても、ＩＯ  Ｃｏｎｔ３４０１にオフコマンドを転送しない。
【００６８】
一方、ローカル画面６０００において、電源オフ設定が「する」に設定されると、ＣＰＵ３６０１はオン時間の確認を有効とする。オフ時間確認ボタン６００２が押されると、ＣＰＵ３６０１は、ホストコンピュータ１６００に設定された電源オフ時間についてホストコンピュータ１６００に問い合わせを行う。そして、ＣＰＵ３６０１は問い合わせによって得られた電源オフ時間をローカル画面６０００に表示する。
【００６９】
電源オフ設定が「する」に設定されている場合、ＮＩＣ部３３０１はオフコマンドを受信した際、当該オフコマンドをＩＯ  Ｃｏｎｔ３４０１に転送する。これによって、ＩＯ  Ｃｏｎｔ３４０１はＣＰＵ３６０１に電源オフ処理要求を通知する。
【００７０】
ＣＰＵ３６０１は電源オフ処理要求を受けると、前述のように、実行中のジョブをＨＤＤ３５０１に退避させる。そして、ＣＰＵ３６０１はデータ退避が完全に行われたことを確認してから、ＩＯ  Ｃｏｎｔ３４０１に電源オフ要求を送付する。電源オフ要求を受けると、ＩＯ  Ｃｏｎｔ３４０１は、リレー付きメインＳＷ３３０２のリレー４００１及びソレノイド４００３をオフとする。
【００７１】
リレー４００１及びソレノイド４００３がオフとなると、メインＳＷレバー４００４がオフ側に転倒する。これを位置センサ４００２が検知して、ＩＯ  Ｃｏｎｔ３４０１は、主電源部３４００、ＨＤＤ電源部３５００、ＣＰＵ電源部３６００、画像処理電源部３７００、読み取り部電源部３８００、及び出力部電源部３９００に対する電源供給をオフする。
【００７２】
上述のように、ローカル画面６０００によって、「自動電源オン設定」、「オン直後有効機能設定」、及び「自動電源オフ設定」を行った後、ＯＫボタン６００３を操作すると、ローカル画面６０００で設定した「自動電源オン設定」、「オン直後有効機能設定」、及び「自動電源オフ設定」が複写機に設定されることになる。キャンセルボタン６００４を操作すると、当該設定はキャンセルされることになる。
【００７３】
なお、前述のようにして、電力供給を行う電源部を制御するように代わりに、定着器３９０２に対する供給電力を切り替えるようにしてもよい。例えば、電源起動の際に、メインＳＷレバー４００４をオン側に転倒させた際には、１５００Ｗの電力を定着器３９０２に供給する。一方、リモート電源制御による電源起動の際には、７００Ｗの電力を定着器に供給するようにしてもよい。これによって、リモート電源制御の際には、定着器３９０２に供給する電力を少なくして、突入電流を抑制し、電源ブレーカのオフを回避する。
【００７４】
以上のように、本実施の形態によれば、ネットワークに複数の複合機が接続されている場合に、ホストコンピュータから電源オン指示を、ネットワークを介して受けると、ＨＤＤ電源部及びＣＰＵ電源部（予め設定された機能部）にのみ電源供給を行って省電力モードで複合機を起動するようにしている。
【００７５】
従って、複合機の起動時における突入電流が小さくなり、消費電力が低減されてブレーカがオフされることがない。さらに、ホストコンピュータは電源オン指令を一斉に発行するので、全ての複合機についてその起動時間を短縮することができる。その結果、ネットワークに接続される複合機が増加しても起動時間が遅くなることがない。加えて、ネットワーク上に電源故障した複合機が存在しても当該複合機を除いた全ての複合機を起動することができる。
【００７６】
上述の説明から明らかなように、図３において、ＮＩＣ部３３０１が受信手段として機能する。また、ＩＯ  Ｃｏｎｔ３４０１、リレー付メインＳＷ３３０２、ＡＣ／ＤＣ変換部３２０２、及びＳＷ３２０２ａ〜３２０２ｅが第１の電源制御手段及び第２の電源制御手段として機能する。また、ＮＩＣ部３３０１及びリレー付きメインＳＷ３３０２が第３の電源制御手段として機能する。さらに、ＣＰＵ３６０１、ＩＯ  Ｃｏｎｔ３４０１、及びＮＩＣ部３３０１が第１の設定手段として機能し、ＣＰＵ３６０１及びＩＯ  Ｃｏｎｔ３４０１が第２の設定手段として機能する。また、ＡＣ／ＤＣ変換器３２０１及び３２０２が情報処理装置が備える複数の機能部に供給される電力を生成する電力生成手段として機能することになる。
【００７７】
以上、本発明について実施の形態に基づいて説明したが、本発明は、これらの実施の形態に限定されるものではなく、この発明の要旨を逸脱しない範囲の様々な形態も本発明に含まれる。
【００７８】
例えば、上記の実施の形態の機能を電源制御方法として、この電源制御方法を、複合機が備えるコンピュータに実行させるようにすればよい。また、上述の実施の形態の機能を有する電源制御プログラムを複合機が備えるコンピュータに実行させるようにしてもよい。
【００７９】
この際、電源制御方法及び電源制御プログラムは、少なくとも受信ステップ、第１の電源制御ステップ、及び第２の電源制御ステップを有することになる。なお、電源制御プログラムは、例えば、コンピュータに読み取り可能な記録媒体に記録される。
【００８０】
また、本発明は、以下の処理を実行することによっても実現される。即ち、上述した実施形態の機能を実現するソフトウェア（プログラム）を、ネットワーク又は各種記録媒体を介してシステム或いは装置に供給し、そのシステム或いは装置のコンピュータ（またはＣＰＵやＭＰＵ等）がプログラムを読み出して実行する処理である。
【符号の説明】
【００８１】
１１００〜１４００  複合機
１６００  ホストコンピュータ
１７００  ネットワーク
３３００  常備電源部
３４００  主電源部
３５００  ＨＤＤ電源部
３６００  ＣＰＵ電源部
３７００  画像処理電源部
３８００  読み取り部電源部
３９００  出力部電源部
【図１】
2012078955.tif 000003
【図２】
2012078955.tif 000004
【図３】
2012078955.tif 000005
【図４】
2012078955.tif 000006
【図５】
2012078955.tif 000007
【図６】
2012078955.tif 000008
【図７】
2012078955.tif 000009